(57)【特許請求の範囲】
【請求項１】
顔料と樹脂とを含む顔料分散体、有機溶剤、及び水を含有する２種以上のインクを用いて画像を形成する、少なくとも２以上の記録ヘッドを有するインクジェット記録装置による画像形成方法であって、
前記２種以上のインクは、それぞれ、インクの全質量に対して０．２〜２．０質量％の１，２−オクタンジオールを含有し、
前記２種以上のインクは、表面寿命が１０ｍｓのときの動的表面張力が、３７〜４８ｍＮ／ｍであり、且つ、各インクの動的表面張力差がすべて２ｍＮ／ｍ以上であり、
前記動的表面張力の大きいインクから順に、前記記録ヘッドからインクを吐出して画像形成を行う、画像形成方法。
【請求項２】
前記２種以上のインクは、少なくともブラックインクと他のカラーインクとを含み、
前記ブラックインクが、前記他のカラーインクよりも先に前記記録ヘッドから吐出される、請求項１記載の画像形成方法。
【発明の詳細な説明】
【技術分野】
【０００１】
本発明は、２色以上のインクを用いる、インクジェット記録装置による画像形成方法に関する。
【背景技術】
【０００２】
近年、記録技術の急速な進歩により銀塩写真に匹敵する高精細な画質を得ることが可能となっていることから、インクジェット記録方式により画像を形成するインクジェット記録装置が画像形成装置として広く使用されている。
【０００３】
かかるインクジェット記録装置を用いる画像形成方法において、良好な印字濃度、高速印字、印字の際の裏抜け（印字したインクが被記録媒体を通過し、裏面に表面に形成された画像が映る現象）の抑制、異なる色のインク間でのカラーブリードの抑制、及びオフセットによる画像汚れの発生の抑制等が要求されており、これらの課題を解決するために、種々の検討が行われている。
【０００４】
例えば、インクに含まれる界面活性剤の含有量が多いインクから順に、ノズルからインクを吐出させることで、耐フェザリング性、耐ブリード性を向上させるインクジェット記録方法（特許文献１参照）や、インクの乾燥粘度、及び動的表面張力を所定の値とすることで、乾燥性に優れ、滲みのすくなくすることができるインクジェット記録用インク（特許文献２参照）が提案されている。
【先行技術文献】
【特許文献】
【０００５】
【特許文献１】特開平１０−１００５３０号公報
【特許文献２】特開２００３−２３１８３８号公報
【発明の概要】
【発明が解決しようとする課題】
【０００６】
しかしながら、特許文献１に記載のインクジェット記録方法で用いる界面活性剤では、インク中のイオン種類や濃度によっては、インク中の成分が分離してしまうため、界面活性剤の含有量だけで、ノズルからインクを吐出する順番を決めると、所望の効果が得られなかった。また、特許文献２記載のインクジェット記録用インクでは、２色以上のインクを用いた場合に、一色の場合と同様の効果が得られないことがあった。
【０００７】
本発明は、かかる事情に鑑みてなされたものであり、ラインヘッド方式のインクジェット記録装置を用いて高速で画像を形成する場合であっても、オフセットによる画像汚れ、及び異なる色のインク間でのカラーブリードの発生を抑制しつつ、所望する濃度の画像を形成できる画像形成方法を提供することを目的とする。
【課題を解決するための手段】
【０００８】
本発明者らは、顔料と樹脂とを含む顔料分散体、有機溶剤、及び水を含有する２種以上のインクを用いて画像を形成する、少なくとも２以上の記録ヘッドを有するインクジェット記録装置による画像形成方法において、表面寿命が１０ｍｓのときの動的表面張力が、３７〜４８ｍＮ／ｍであり、且つ、各インクの動的表面張力差がすべて２ｍＮ／ｍ以上である２種以上のインクを、動的表面張力の大きいインクから順に、インクを吐出して画像形成を行うことにより、上記課題を解決できることを見出し、本発明を完成するに至った。具体的に、本発明は以下のものを提供する。
【０００９】
（１）  顔料と樹脂とを含む顔料分散体、有機溶剤、及び水を含有する２種以上のインクを用いて画像形成する、少なくとも２以上の記録ヘッドを有するインクジェット記録装置による画像形成方法であって、
前記２種以上のインクは、表面寿命が１０ｍｓのときの動的表面張力が、３７〜４８ｍＮ／ｍであり、且つ、各インクの動的表面張力差がすべて２ｍＮ／ｍ以上であり、
前記動的表面張力の大きいインクから順に、前記記録ヘッドからインクを吐出して画像形成を行う、画像形成方法。
【００１０】
（２）  前記２種以上のインクは、少なくともブラックインクと他のカラーインクとを含み、
前記ブラックインクが、前記他のカラーインクよりも先に前記記録ヘッドから吐出される、（１）記載の画像形成方法。
【００１１】
（３）  前記有機溶剤は、１，２−オクタンジオール、２−エチル−１，３−ヘキサンジオール、２，４−ジエチル−１，５−ペンタンジオール、及び２−エチル−２−ブチル−１，３−プロパンジオールの中から選択される少なくとも１種以上を、０．２〜２．０質量％含む、（１）又は（２）記載の画像形成方法。
【発明の効果】
【００１２】
本発明によれば、ラインヘッド方式のインクジェット記録装置を用いて高速で画像形成する場合であっても、オフセットによる画像汚れ、及び異なる色のインク間でのカラーブリードの発生を抑制しつつ、所望する濃度の画像を形成できる。
【図面の簡単な説明】
【００１３】
【図１】図１は、ラインヘッド型の記録方式のインクジェット記録装置の概略構成を示す側面断面図である。
【図２】図２は、図１に示されるインクジェット記録装置の搬送ベルトを上方から見た平面図である。
【図３】図３は、ラインヘッド型の記録方式のインクジェット記録装置の構成を示すブロック図である。
【図４】図４は、ラインヘッド型の記録方式のインクジェット記録装置に用いられるラインヘッドと記録用紙上に形成されたドット列の一部を示す拡大平面図である。
【発明を実施するための形態】
【００１４】
以下、本発明の実施形態について詳細に説明するが、本発明は、以下の実施形態に何ら限定されるものではなく、本発明の目的の範囲内において、適宜変更を加えて実施できる。なお、説明が重複する箇所については、適宜説明を省略する場合があるが、発明の要旨を限定するものではない。
【００１５】
本発明の画像形成方法は、顔料と樹脂とを含む顔料分散体、有機溶剤、及び水を含有する２種以上のインクを用いて画像形成する、少なくとも２以上の記録ヘッドを有するインクジェット記録装置による画像形成方法であって、後述する表面寿命が１０ｍｓのときの動的表面張力の大きいインクから順に、記録ヘッドからインクを吐出して画像を形成する方法である。以下、本発明に関して、インク、インクの調製方法、及び画像形成方法について順に説明する。
【００１６】
〔インク〕
本発明において用いるインクは、顔料と樹脂とを含む顔料分散体、有機溶剤、及び水とを含むものである。また、本発明において用いるインクは、必要に応じ、インクに含まれる成分の溶解状態を安定化させる溶解安定剤、及びインクからの液体成分の揮発を抑制してインクの粘性を安定化させる保湿剤を含んでいてもよい。以下、本発明に用いるインクに関して、顔料分散体、水、有機溶剤、溶解安定剤、及び保湿剤について順に説明する。
【００１７】
本発明では、２色以上のインクが使用される。インクの数は、２以上であれば、本発明の目的を阻害しない範囲で特に限定されない。種々の色相の画像を良好に形成でき、記録ヘッドの数を少なくしインクジェット記録装置を小型化しやすいことから、ブラックインク、シアンインク、イエローインク、及びマゼンタインクからなる４色のインクを使用するのが好ましい。
【００１８】
（顔料分散体）
顔料分散体中に含有させることができる顔料は、本発明の目的を阻害しない範囲で特に限定されず、従来からインクジェット記録装置用インクの着色剤として使用されている顔料から適宜選択して使用できる。シアンインクに含有させることができる顔料の具体例としてはＣ．Ｉ．ピグメントブルー１５等の青色顔料が挙げられ、イエローインクに含有させることができ顔料の具体例としては、Ｃ．Ｉ．ピグメントイエロー７４、９３、９５、１０９、１１０、１２０、１２８、１３８、１３９、１５１、１５４、１５５、１７３、１８０、１８５、１９３等の黄色顔料が挙げられ、マゼンタインクに含有させることができる顔料としてはＣ．Ｉ．ピグメントレッド１２２、２０２等の赤色顔料が挙げられ、ブラックインクに含有させることができる顔料としてはＣ．Ｉ．ピグメントブラック４、７（Ｂ．Ｋ−４、７、カーボンブラック）等の黒色顔料等が挙げられる。
【００１９】
上記の他の色相の顔料の具体例としては、Ｃ．Ｉ．ピグメントオレンジ３４、３６、４３、６１、６３、７１等の橙色顔料、Ｃ．Ｉ．ピグメントバイオレット１９、２３、３３等の紫色顔料等が挙げられる。これらの顔料を２種以上組み合わせて用い、インクの色相を所望の色相に調整することができる。
【００２０】
顔料分散体に含まれる顔料の量は、本発明の目的を阻害しない範囲で特に限定されない。典型的には、インクの全質量に対して２〜１５質量％が好ましく、４〜９質量％がより好ましい。顔料の使用量が過少であると所望する画像濃度を得にくく、顔料の使用量が過多であると、インクの流動性が損なわれ所望する画像を形成しにくくなったり、インクの被記録媒体に対する浸透性が損なわれ、オフセットが発生しやすくなったりする場合がある。さらに、顔料の使用量が過多である場合、インクの分散安定性が維持できなくなる場合もある。
【００２１】
顔料分散体に含まれる樹脂は、本発明の目的を阻害しない範囲で特に限定されず、従来から顔料分散体の製造に用いられている種々の樹脂から適宜選択して使用できる。好適な樹脂の具体例としては、スチレン−アクリル酸−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸アルキルエステル共重合体、スチレン−マレイン酸ハーフエステル共重合体、ビニルナフタレン−アクリル酸共重合体、ビニルナフタレン−マレイン酸共重合体等が挙げられる。これらの樹脂の中では、調製が容易で、顔料の分散効果に優れることから、スチレン−アクリル酸−アクリル酸アルキルエステル共重合体、スチレン−アクリル酸共重合体、スチレン−マレイン酸−アクリル酸アルキルエステル共重合体、スチレン−メタクリル酸共重合体、スチレン−メタクリル酸アルキルエステル共重合体等の、スチレンに由来する単位と、アクリル酸、メタクリル酸、アクリル酸エステル、又はメタクリル酸エステルに由来する単位とを含むスチレン−アクリル系樹脂が好ましい。上記の樹脂は、ラジカル重合により得られる。
【００２２】
顔料分散体の調製に用いる樹脂の重量平均分子量（Ｍｗ）は本発明の目的を阻害しない範囲で特に限定されないが、５０００〜１５００００であるのが好ましい。顔料分散体に含まれる樹脂の重量平均分子量（Ｍｗ）はゲルろ過クロマトグラフィーにより測定できる。樹脂の分子量が過小である場合、被記録媒体に画像を形成する際に、所望する画像濃度を有する画像を得にくい。また、分子量が過大である場合、インクの粘度が高いため、溶媒の揮発等によりインクの粘度がさらに高くなりやすく、ノズルからのインクの吐出不良が起こりやすい。
【００２３】
また、顔料分散体の調製に用いる樹脂の酸価は、１５０〜３００ｍｇＫＯＨ／ｇが好ましい。樹脂の酸価が過小である場合、顔料分散体中の顔料の分散性が低くなりやすく、顔料の微粒子化が困難となるため、画像の良好な着色性、発色性を得にくい。樹脂の酸価が過大である場合、インクの保存安定性が低くなりやすい。樹脂の酸価は、樹脂を合成する際に、アクリル酸、メタクリル酸等の酸性の官能基（例えばカルボキシ基）を有する単量体の使用量を適宜調整することにより調整できる。具体的には、酸性の官能基を有する単量体の使用量を増やすことにより酸価を高めることができる。
【００２４】
顔料分散体を調製する際の樹脂の使用量は、本発明の目的を阻害しない範囲で特に限定されない。樹脂の使用量は、典型的には、顔料分散体の全質量に対して、０．５〜６．７５質量％が好ましい。
【００２５】
顔料と樹脂とを含む顔料分散体を製造する方法は、本発明の目的を阻害しない範囲で特に限定されず、従来知られる方法から適宜選択できる。好適な方法としては、例えば、ナノグレンミル（浅田鉄工株式会社製）、ＭＳＣミル（三井鉱山株式会社製）、ダイノミル（株式会社シンマルエンタープライゼス製）、サンドミル（株式会社安川製作所製）等のメディア型湿式分散機を用いて、水等の適切な液体の媒体中において、顔料と樹脂とを混練して顔料分散体を得る方法が挙げられる。メディア型湿式分散機による処理では、小粒径のビーズを用いる。ビーズの粒子径は特に限定されず、典型的には粒径０．５〜２．０ｍｍである。また、ビーズの材質は特に限定されず、ジルコニアビーズ、ガラスビーズ等の硬質の材料からなるビーズが使用される。
【００２６】
（水）
本発明において用いるインクは、水性インクであり、水を必須に含む。インクに含まれる水は、本発明の目的を阻害しない範囲で特に限定されず、従来から、水性インクの製造に使用されている水から、所望の純度の水を適宜選択して使用できる。インクの水の含有量は、本発明の目的を阻害しない範囲で特に限定されない。水の含有量は、後述する、他の成分の使用量に応じて適宜変更されえる。インクの水の含有量としては、典型的には、インクの全質量に対して２０〜７０質量％が好ましく、３０〜６０質量％がより好ましい。
【００２７】
（有機溶剤）
本発明に用いるインクは、インクの被記録媒体への浸透を促進させる目的等で有機溶剤を含む。好適な有機溶剤の具体例としては、エチレングリコールモノブチルエーテル、トリエチレングリコールモノメチルエーテル、トリエチレングリコールモノブチルエーテル、ジエチレングリコールモノメチルエーテル、エチレングリコールモノメチルエーテル、及びトリプロピレングリコールモノメチルエーテル等のアルキレングリコールモノアルキルエーテルや、１，２−ヘキシレングリコール、１，２−オクタンジオール、２−エチル−１，３−ヘキサンジオール、２，４−ジエチル−１，５−ペンタンジオール、及び２−エチル−２−ブチル−１，３−プロパンジオール等の炭素原子数６〜９のアルカンジオール等が挙げられる。これらの有機溶剤は、１種類を単独で用いても、２種類以上を組み合わせて用いてもよい。インクにおける有機溶剤の含有量は、インクの全質量に対して５〜２０質量％が好ましく、１０〜１５質量％がより好ましい。
【００２８】
上記有機溶剤としては、１，２−オクタンジオール、２−エチル−１，３−ヘキサンジオール、２，４−ジエチル−１，５−ペンタンジオール、及び２−エチル−２−ブチル−１，３−プロパンジオールから選択される少なくとも１種以上を、０．２〜２．０質量％インクに含むものが好ましい。これらの有機溶剤を、０．２〜２．０質量％の範囲でインクに含むことによって、後述する、インクの、表面寿命１０ｍｓにおける動的表面張力を、３７〜４８ｍＮ／ｍの範囲で調整することができる。これらの有機溶剤の含有量が、２．０質量％を超える場合、オフセットによる画像汚れが発生しやすくなる。また、これらの有機溶剤の使用量は、有機溶剤の種類によって、前述の範囲内で適宜調整するのが好ましい。
【００２９】
（溶解安定剤）
溶解安定剤は、インクに含まれる成分を相溶化してインクの溶解状態を安定化させる成分である。溶解安定剤の具体例としては、２−ピロリドン、Ｎ−メチル−２−ピロリドン、及びγ−ブチロラクトン等が挙げられる。これらの溶解安定剤は２種以上を組み合わせて用いることができる。インクが溶解安定剤を含有する場合、溶解安定剤の含有量は、インクの全質量に対して１〜２０質量％が好ましく、３〜１５質量％がより好ましい。
【００３０】
（保湿剤）
保湿剤は、インクからの液体成分の揮発を抑制してインクの粘性を安定化させる成分である。保湿剤と水の量を調整することで、インクの粘度を調整することができる。保湿剤の具体例は、ポリエチレングリコール、ポリプロピレングリコール、エチレングリコール、プロピレングリコール、ブチレングリコール、ジエチレングリコール、ジプロピレングリコール、トリエチレングリコール、トリプロピレングリコール、１，２，６−ヘキサントリオール、チオジグリコール、１，３−ブタンジオール、１，５−ペンタンジオール、及びグリセリン等が挙げられる。これらの、保湿剤の中では、水等の液体成分の揮発の抑制効果に優れることからグリセリンがより好ましい。保湿剤は２種以上を組み合わせて用いることができる。インクが保湿剤を含有する場合、保湿剤の含有量は、インクの全質量に対して５〜３０質量％が好ましく、１２〜２０質量％がより好ましい。
【００３１】
〔インクの製造方法〕
インクの製造方法は、顔料分散体、水、有機溶剤等のインク成分を均一に混合することができれば特に限定されない。インクジェット記録装置用インクの製造方法の具体例としては、インクの各成分を混合機により均一に混合した後、孔径５μｍ以下のフィルターにより異物や粗大粒子を除去する方法が挙げられる。なお、インクを製造する際には、必要に応じて溶解安定剤、保湿剤等の成分や、界面活性剤、酸化防止剤、粘度調整剤、ｐＨ調整剤、防腐防カビ剤等の、従来からインクジェット記録装置用のインクに加えられている種々の添加剤を加えることができる。
【００３２】
（動的表面張力の測定）
本発明の画像形成方法において用いられる２種以上のインクを規定する動的表面張力とは、液表面（気−液界面）が形成された直後であって、液表面が非平衡状態にあるときの表面張力であり、表面寿命とは、液表面が形成されてからの経過時間である。そして、表面寿命の経過につれて液表面は、インク中の各成分が拡散して平衡状態に近づき表面張力が低下し、平衡状態となったときの表面張力が静的表面張力である。従って、インクジェット記録装置用のインクは、記録ヘッドからインク液滴が吐出され、ごく短時間で記録媒体に着弾するため、インクの記録媒体に対する種々の性質は、インクの動的表面張力により規定することが、実際の状況に対してより適切である（特開２０１１−２０７１４６、段落００１９参照）。
【００３３】
本発明の画像形成方法において用いられる２種以上のインクは、表面寿命が１０ｍｓのときの動的表面張力が、３７〜４８ｍＮ／ｍであり、且つ、各インクの動的表面張力差がすべて２ｍＮ／ｍ以上である。インクの動的表面張力の測定方法は、特に限定されず、従来用いられている動的表面張力計を用いた方法により測定できる。動的表面張力計としては、例えば、バブルプレッシャー動的表面張力計（ＢＰ１００（ＫＲＵＳＳ社製））等が挙げられる。
【００３４】
インクの動的表面張力が過大である場合、インクは所望する浸透性が得にくく、オフセットによる画像汚れを抑制しにくい。一方、インクの動的表面張力が過小である場合、インクの浸透性が高くなりやすく、また、インク液滴が、吐出してから着弾するまでの間に分離することによる形成画像の乱れ（サテライト）が発生しやすく、所望する画像濃度を有する画像を得にくい。
【００３５】
〔画像形成方法〕
本発明の画像形成方法において用いるインクジェット記録装置は特に限定されないが、高品質の画像を高速で形成できることから、インクジェット記録装置として、ラインヘッド方式のインクジェット記録装置を用いるのが好ましい。ラインヘッド方式のインクジェット記録装置では、オフセットによる画像の汚れや、カラーブリードが生じやすいが、本発明の画像形成方法によれば、これらの問題が生じにくい。
【００３６】
また、ラインヘッド方式のインクジェット記録装置を用いて画像を形成する場合、画像形成速度は、Ａ４縦方向の長さに被記録媒体を搬送して画像形成する場合の画像形成速度として１００ｐｐｍ（頁／分）以上であるのが好ましい。本発明の画像形成方法によれば、１００ｐｐｍ以上の高速で画像を形成する場合であっても、カラーブリード、及びオフセットによる画像汚れのない画像を所望する画像濃度で形成できる。
【００３７】
以下、図面を参照して、本発明の画像形成方法の好適な例として、４つの記録ヘッドを備えるラインヘッド型の記録方式のインクジェット記録装置を用い、被記録媒体として記録用紙を用いて、ブラックインク、シアンインク、マゼンタインク、及びイエローインクを用いて画像を形成する場合に関して説明する。図１は、ラインヘッド型の記録方式のインクジェット記録装置の概略構成を示す側面断面図であり、図２は、図１に示すインクジェット記録装置の搬送ベルトを上方からみた平面図である。
【００３８】
図１に示すように、インクジェット記録装置１００の左側部には記録用紙Ｐを収容する給紙トレイ２が設けられており、この給紙トレイ２の一端部には収容された記録用紙Ｐを、最上位の記録用紙Ｐから順に一枚ずつ後述する搬送ベルト５へと搬送給紙するための給紙ローラー３及び給紙ローラー３に圧接され従動回転する従動ローラー４が設けられている。
【００３９】
給紙ローラー３及び従動ローラー４の用紙搬送方向下流側（図１において右側）には、搬送ベルト５が回転自在に配設されている。搬送ベルト５は、用紙搬送方向下流側に配置されたベルト駆動ローラー６と、上流側に配置され搬送ベルト５を介してベルト駆動ローラー６に従動回転するベルトローラー７とに掛け渡されており、ベルト駆動ローラー６が時計方向に回転駆動されることにより、記録用紙Ｐが矢印Ｘ方向に搬送される。
【００４０】
ここで、用紙搬送方向Ｘの下流側にベルト駆動ローラー６を配置したことにより、搬送ベルト５の用紙送り側（図１において上側）はベルト駆動ローラー６に引っ張られるようになるため、ベルトテンションを張ることができ、安定した記録用紙Ｐの搬送が可能となる。なお、搬送ベルト５には誘電体樹脂製のシートが用いられ、継ぎ目を有しない（シームレス）ベルト等が好適に用いられる。
【００４１】
また、搬送ベルト５の用紙搬送方向Ｘの下流側には、図中時計回りに駆動され画像が記録された記録用紙Ｐを装置本体外へと排出する排出ローラー８ａ、及び排出ローラー８ａの上部に圧接され従動回転する従動ローラー８ｂが設けられており、排出ローラー８ａ及び従動ローラー８ｂの下流側には、装置本体外へと排出された記録用紙Ｐが積載される排紙トレイ１０が設けられている。
【００４２】
従動ローラー８ｂは記録用紙Ｐの画像面に直接触れるため、従動ローラー８ｂの表面を形成する素材は撥水性材料であるのが好ましい。従動ローラー８ｂの表面を撥水性材料により形成することにより、記録用紙Ｐに浸透していないインクのローラーへの付着を抑制でき、オフセットの発生を抑制しやすい。好適な撥水材料としては、ポリテトラフルオロエチレン（ＰＴＦＥ）、テトラフルオロエチレン−パーフルオロアルキルビニルエーテル共重合体、テトラフルオロエチレン−ヘキサフルオロプロピレン共重合体、テトラフルオロエチレン−エチレン共重合体、テトラフルオロエチレン−フッ化ビニリデン共重合体、テトラフルオロエチレン−ヘキサフルオロプロピレン−パーフルオロアルキルビニルエーテル共重合体、ポリクロロトリフルオロエチレン、クロロトリフルオロエチレン−エチレン共重合体、クロロトリフルオロエチレン−フッ化ビニリデン共重合体、ポリフッ化ビニリデン、ポリフッ化ビニル等のフッ素樹脂が挙げられる。従動ローラー８ｂと同様に、記録用紙Ｐの画像面に接触する部材の表面は撥水性材料により形成するのが好ましい。
【００４３】
そして、搬送ベルト５の上方には、搬送ベルト５の上面に対して所定の間隔が形成されるような高さに支持され、搬送ベルト５上を搬送される記録用紙Ｐへと画像の記録を行うラインヘッド１１ａ、１１ｂ、１１ｃ、及び１１ｄが配設されている。
【００４４】
本発明の画像形成方法では、前述した表面寿命が１０ｍｓのときにおける動的表面張力が、３７〜４８ｍＮ／ｍであり、且つ、各インクの動的表面張力差がすべて２ｍＮ／ｍ以上である２種以上のインクを、動的表面張力の大きいインクから順に、記録ヘッドからインクを吐出して画像形成を行う。ラインヘッド１１ａ〜１１ｄには、上述するインクの動的表面張力が、３７〜４８ｍＮ／ｍであり、且つ、各インクの動的表面張力差がすべて２ｍＮ／ｍ以上である４色のインクが、動的表面張力が大きい順に、ラインヘッド１１ａから順に充填される。
【００４５】
これにより、オフセットによる画像汚れの発生を抑制することができる。また、この場合、動的表面張力が大きい順に、記録ヘッドからインクが吐出されるため、早い吐出順のインクに含まれる顔料が被記録媒体表面にある程度固着された後に、次順のインクを被記録媒体に着弾させやすい。このため、早い吐出順のインクと、次順のインクとが被記録媒体表面で混じりあいにくく、カラーブリードの発生が抑制される。
【００４６】
また、ブラックインクは、シアンインク、マゼンタインク、及びイエローインクよりも先に吐出されるのが好ましい。ブラックインクは、形成画像の画像濃度が、他のインクに比べてより高い場合に、着色性や発色性の点で所望する画像が得られるため、ブラックインクの、表面寿命が１０ｍｓのときにおける動的表面張力は、他のインクに比べ大きいものが好ましい。従って、他のインクに比べて、表面寿命が１０ｍｓのときの動的表面張力が大きいブラックインクを先に吐出することで、所望する濃度の画像を形成することができる。
【００４７】
これらのラインヘッド１１ａ〜１１ｄは、図２に示すように、搬送方向と直交する方向（図２の上下方向）に複数のノズルが配列されたノズル列を備え、搬送される記録用紙Ｐの幅以上の記録領域を有しており、搬送ベルト５上を搬送される記録用紙Ｐに対して、一括して１行分の画像を記録することができるようになっている。
【００４８】
なお、ラインヘッド型の記録方式のインクジェット記録装置においては、搬送ベルト５の幅寸法以上に形成された長尺のヘッド本体の長手方向に複数のノズルを配列させることで、記録用紙Ｐの幅以上の記録領域を有するように構成されたラインヘッドを用いているが、例えば各々複数個のノズルを備えた短尺のヘッドユニットを搬送ベルト５の幅方向に複数配列することにより、搬送される記録用紙Ｐの幅方向全幅にわたって画像を記録できるようにしたラインヘッドを用いても構わない。
【００４９】
また、ラインヘッド１１ａ〜１１ｄのインクの吐出方式としては、例えば、図示しない圧電素子（ピエゾ素子）を用いてラインヘッド１１ａ〜１１ｄの液室内に生じる圧力を利用してインクの液滴を吐出する圧電素子方式や、発熱体によって気泡を発生させ、圧力をかけてインクを吐出するサーマルインクジェット方式等、各種方式を適用することができる。インクの吐出方式は、吐出量の制御が容易であることから圧電素子方式が好ましい。
【００５０】
図３は、ラインヘッド型の記録方式のインクジェット記録装置の構成を示すブロック図である。図１及び図２と共通する部分には同一の符号を付して説明を省略する。インクジェット記録装置１００には制御部２０が備えられており、制御部２０には、インターフェイス２１、ＲＯＭ２２、ＲＡＭ２３、エンコーダー２４、モーター制御回路２５、ラインヘッド制御回路２６、及び電圧制御回路２７等が接続されている。
【００５１】
インターフェイス２１は、例えば、図示しないパソコン等のホスト装置とデータの送受信を行う。制御部２０は、インターフェイス２１を介して受信された画像信号を、必要に応じて変倍処理或いは階調処理して画像データに変換する。そして、後述する各種制御回路に制御信号を出力する。
【００５２】
ＲＯＭ２２は、ラインヘッド１１ａ〜１１ｄを駆動させて画像記録を行う際の制御プログラム等を記憶している。ＲＡＭ２３は、制御部２０により変倍処理或いは階調処理された画像データを所定の領域に格納する。
【００５３】
エンコーダー２４は、搬送ベルト５を駆動する排紙側のベルト駆動ローラー６に接続されており、ベルト駆動ローラー６の回転軸の回転変位量に応じてパルス列を出力する。制御部２０は、エンコーダー２４から送信されるパルス数をカウントすることで回転量を算出し、用紙の送り量（用紙位置）を把握する。そして制御部２０は、エンコーダー２４からの信号に基づいて、モーター制御回路２５及びラインヘッド制御回路２６に制御信号を出力する。
【００５４】
モーター制御回路２５は、制御部２０からの出力信号により記録媒体搬送用モーター２８を駆動する。記録媒体搬送用モーター２８は駆動してベルト駆動ローラー６を回転させ、搬送ベルト５を図１の時計回りに回動させて用紙を矢印Ｘ方向へと搬送する。
【００５５】
ラインヘッド制御回路２６は、制御部２０からの出力信号に基づいて、ＲＡＭ２３に格納された画像データをラインヘッド１１ａ〜１１ｄへ転送し、転送された画像データに基づいてラインヘッド１１ａ〜１１ｄからのインクの吐出を制御する。かかる制御と、記録媒体搬送用モーター２８によって駆動する搬送ベルト５による用紙の搬送の制御とにより、用紙への記録処理が行われる。
【００５６】
電圧制御回路２７は、制御部２０からの出力信号に基づいて給紙側のベルトローラー７に電圧を印加することにより交番電界を発生させ、搬送ベルト５に用紙を静電吸着させる。静電吸着の解除は、制御部２０からの出力信号に基づいてベルトローラー７又はベルト駆動ローラー６を接地させることにより行われる。なお、ここでは給紙側のベルトローラー７に電圧を印加する構成としたが、排紙側のベルト駆動ローラー６に電圧を印加する構成としてもよい。
【００５７】
ラインヘッド型の記録方式のインクジェット記録装置を用いてドットを形成する方法を、図４を用いて具体的に説明する。なお、図４では図１及び図２に示したラインヘッド１１ａ〜１１ｄのうち、ラインヘッド１１ａを例に挙げて説明するが、他のラインヘッド１１ｂ〜１１ｄについても全く同様に説明される。
【００５８】
図４に示すように、ラインヘッド１１ａには複数個のノズルからなるノズル列Ｎ１、Ｎ２が搬送方向（矢印Ｘ方向）に並設されている。つまり、搬送方向の各ドット列を形成するノズルとして、ノズル列Ｎ１、Ｎ２に各１個ずつ（例えばドット列Ｌ１ではノズル１２ａ及び１２ａ’）、合計２個のノズルを備えている。なお、ここでは説明の便宜のため、ノズル列Ｎ１、Ｎ２を構成するノズルのうち、ドット列Ｌ１〜Ｌ１６に対応する１２ａ〜１２ｐ及び１２ａ’〜１２ｐ’までの各１６個のノズルのみを記載しているが、実際にはさらに多数のノズルが搬送方向と直交する方向に配列されているものとする。
【００５９】
そして、このノズル列Ｎ１、Ｎ２を順次用いて被記録媒体上に画像を形成する。例えば、被記録媒体を搬送方向に移動させながら、被記録媒体の幅方向（図の左右方向）１行分のドット列Ｄ１をノズル列Ｎ１からのインク吐出（図の実線矢印）により形成した後、次の１行分のドット列Ｄ２をノズル列Ｎ２からのインク吐出（図の破線矢印）により形成し、さらに次の１行分のドット列Ｄ３を再びノズル列Ｎ１からのインク吐出により形成する。以下、ドット列Ｄ４以降もノズル列Ｎ１、Ｎ２を交互に用いて同様に形成する。
【００６０】
以上説明した画像形成方法によれば、ラインヘッド方式のインクジェット記録装置を用いて高速で画像形成する場合であっても、オフセットによる画像汚れ、及び異なる色のインク間でのカラーブリードの発生を抑制しつつ、所望する濃度の画像を形成できる。このため、本発明の画像形成方法は種々のインクジェット記録装置において好適に利用される。
【実施例】
【００６１】
以下、実施例により本発明をさらに具体的に説明する。なお、本発明は実施例により何ら限定されるものではない。
【００６２】
〔製造例１〕
（スチレン−アクリル樹脂の製造）
顔料分散体の調製に用いるスチレン−アクリル樹脂をマクロモノマー合成法により製造した。具体的には、ポリスチレンの分子末端の一方に（メタ）アクリロイル基が結合したオリゴマー（ＡＳ−６、東亜合成株式会社製、数平均分子量（Ｍｎ）６０００）と、所定量の、メタクリル酸、メタクリル酸メチル、及びアクリル酸ブチルとを、メチルエチルケトン中で重合開始剤（２，２’−アゾビス（２，４−ジメチルバレロニトリル））の存在下に重合を行い、スチレン−アクリル樹脂を製造した。得られた樹脂の重量平均分子量（Ｍｗ）を、ゲルろ過クロマトグラフィー（ＨＬＣ−８０２０ＧＰＣ（東ソー株式会社製））を用いて下記条件により確認した。また、得られた樹脂の酸価（ｍｇＫＯＨ／ｇ）を滴定により確認した。得られた樹脂の重量平均分子量（Ｍｗ）は約５００００であり、酸価は１５０であった。
＜重量平均分子量測定条件＞
カラム：ＴＳＫｇｅｌ、Ｓｕｐｅｒ  Ｍｕｌｔｉｐｏｒｅ  ＨＺ−Ｈ（東ソー株式会社製、４．６ｍｍＩＤ×１５ｃｍ）
カラム本数：３本
溶離液：テトラヒドロフラン
流速：０．３５ｍｌ／分
サンプル注入量：１０μｌ
測定温度：４０℃
検出器：ＩＲ検出器
検量線は、標準試料（ＴＳＫ  ｓｔａｎｄａｒｄ，ｐｏｌｙｓｔｙｒｅｎｅ、東ソー株式会社製）から、Ｆ−４０、Ｆ−２０、Ｆ−４、Ｆ−１、Ａ−５０００、Ａ−２５００、Ａ−１０００、及びｎ−プロピルベンゼンの８種を選択して作成した。
【００６３】
〔参考例〕
（顔料分散体の調製）
ブラック、マゼンタ、シアン、及びイエロー各色について、顔料１５質量％と、得られたスチレン−アクリル樹脂０．５質量％と、オルフィンＥ１０１０（界面活性剤、アセチレンジオールのエチレンオキシド付加物、日信化学工業株式会社製）０．５質量％と、水とを加えた合計割合が１００質量％となった組成物をダイノミル（株式会社シンマルエンタープライゼス製）のベッセルに充填した後、分散処理を行い、各色顔料分散体を得た。なお、ジルコニアビーズ（直径１．０ｍｍ）はベッセル容量に対して７０％の充填率で、ベッセルに充填した。顔料分散体の調製で用いたダイノミルのベッセル量は１．４Ｌである。得られた顔料分散体をイオン交換水にて３００倍に希釈して、動的光散乱式粒径分布測定装置（ゼータサイザー  ナノ、シスメックス株式会社製）により顔料の体積平均粒径Ｄ５０を測定し、顔料の体積平均粒径が７０〜１３０ｎｍの範囲となっていることを確認した。各所の顔料は、ブラック顔料はＢ．Ｋ−４を、マゼンタ顔料はＰ．Ｒ−１２２を、シアン顔料はＰ．Ｂ−１５：３を、イエロー顔料はＰ．Ｙ−７４をそれぞれ用いた。
【００６４】
（インクの調製）
ブラック、マゼンタ、シアン、及びイエロー各色について動的表面張力の異なるインク８種類、計３２種類のブラックインクＫ１〜Ｋ８、マゼンタインクＭ１〜Ｍ８、シアンインクＣ１〜Ｃ８、イエローインクＹ１〜Ｙ８が、表２記載の動的表面張力となるように、各色インクに含まれる、１，２−オクタンジオール、及びグリセリンを、インク全体量に対して表２〜表５記載の割合で混合して動的表面張力が異なる各色８種類、計３２種類のインクを得た。
【００６５】
具体的には、界面活性剤（オルフィンＥ１０１０、アセチレンジオールのエチレンオキシド付加物（日信化学工業株式会社製））０．５質量％、トリエチレングリコールモノメチルエーテル（有機溶剤）１０質量％、及び２−ピロリドン（溶解安定剤）５質量％と、各色のインクについて、ブラックの顔料分散体を６０質量％、マゼンタの顔料分散体を５５質量％、シアンの顔料分散体を５０質量％、及びイエローの顔料分散体を５５質量％の割合で用いた顔料分散体と、表２〜表５に記載の１，２−オクタンジオール、及びグリセリンと、水とを加えた合計割合が１００質量％となった組成物を、撹拌機により均一に混合した後、孔径５μｍのフィルターによりろ過して、ブラック、マゼンタ、シアン、及びイエロー各色について動的表面張力の異なるインク８種類、計３２種類のインクを調製した。なお、表２に記載の量は、インク全質量に対する１，２−オクタンジオール、及びグリセリンの質量％である。
【００６６】
【表１】
0005744706.tif 000002
【００６７】
【表２】
0005744706.tif 000003
【００６８】
【表３】
0005744706.tif 000004
【００６９】
【表４】
0005744706.tif 000005
【００７０】
【表５】
0005744706.tif 000006
【００７１】
＜評価＞
得られた３２種類のインクについて、４つの記録ヘッド（図１におけるラインヘッド１１ａ〜１１ｄ。インクの吐出はラインヘッド１１ａから順に行われる）を備えるラインヘッド方式のインクジェット記録装置を用い、下記の方法に従って、単色のインクによって形成した画像にけるオフセットの発生の有無、画像濃度、及びサテライトの発生の有無を評価した。単色のインクによって形成した画像におけるオフセットの評価結果を表６〜表８に記し、画像濃度の評価結果を表９〜表１２に記し、サテライトの評価結果を表１３〜表１６に記す。
【００７２】
＜単色のインクによって形成した画像におけるオフセットの評価方法＞
単色のインクによって形成した画像におけるオフセットの評価は、図１におけるラインヘッド１１ａ〜１１ｄ毎ついて、ブラックインク、マゼンタインク、及びシアンインクの各インクを単色で用い、且つ動的表面張力ごとに評価を行った。
【００７３】
具体的には、記録ヘッドにインクを充填し、ノズル形成面から出ている余剰液をワイプブレードによりかきとった。記録ヘッドのノズル面と記録用紙Ｐとの距離を１ｍｍに固定し、給紙部から排出部までの記録用紙Ｐの搬送速度を８４６．７ｍｍ／秒に設定した。記録用紙Ｐとして用紙（ＩＪＷ（王子製紙株式会社製））をＡ４サイズにカットしたものを用い、記録ヘッドから、記録用紙Ｐへのインクの打ち込み量が１５ｇ／ｍ２となるようにインクを吐出して、１０ｃｍ×１０ｃｍのベタ画像を連続１０枚形成した。１０枚目に画像が形成された記録用紙Ｐについて、記録用紙Ｐを排出する排出部に備えられる、表面材質がポリテトラフルオロエチレン樹脂（ＰＴＦＥ）である従動ローラーと接触した後の記録用紙Ｐの非画像部の状態と、従動ローラーへのインクの付着の状況を観察してオフセット性を目視にて評価した。オフセット性の評価の基準は以下の通りである。
○：記録液が排出ローラーに付着しておらず、非画像部に画像が版画されていない。
△：記録液が排出ローラーに付着しているが、非画像部に画像が版画されていない。
×：記録液が排出ローラーに付着しており、非画像部に画像が版画されている。
【００７４】
＜画像濃度評価方法＞
画像濃度評価は、図１のラインヘッド１１ａから、ブラックインク、マゼンタインク、シアンインク、及びイエローインクをそれぞれ吐出して、且つ動的表面張力ごとに評価を行った。
【００７５】
具体的には、ヘッド内部に保温可能なヒーター及び温度検知機能を有した記録ヘッドを記録ヘッド１１ａとして用いた。そして、保温設定温度を２５℃として、２４℃６０％ＲＨ環境下における画像濃度評価を行った。具体的には、単色インクによるオフセットの評価方法と同様の条件・方法により、１０ｃｍ×１０ｃｍのベタ画像を１枚形成した。画像が形成された記録用紙Ｐを一昼夜、常温常湿環境下に保存した後、画像部の画像濃度を画像濃度計Ｄ５０（グレタグマクベス社製）Ｄ５０光源、視野角２°にて、形成された画像の画像濃度を測定した。
ブラックインクについては、画像濃度１．２以上を○と判定し、１．２未満を×と判定した。
その他のインクについては、画像濃度１．０以上を○と判定し、１．０未満を×と判定した。
【００７６】
＜サテライトの評価方法＞
サテライトの評価は、図１のラインヘッド１１ａから、ブラックインク、マゼンタインク、シアンインク、及びイエローインクをそれぞれ吐出して、且つ動的表面張力ごとに評価を行った。
【００７７】
具体的には、画像濃度評価方法と同様の条件・方法により、５ｃｍ×５ｃｍのベタ画像を１枚形成した。形成したベタ画像を顕微鏡観察してサテライトの評価を以下の基準で行った。
○：インク液滴の着弾位置から１０μｍ以内にインクが納まっている。
×：インク液滴の着弾位置から１０μｍ以内にインクが納まっていない。
【００７８】
【表６】
0005744706.tif 000007
【００７９】
【表７】
0005744706.tif 000008
【００８０】
【表８】
0005744706.tif 000009
【００８１】
表６〜表８に記載の単色のインクによって形成した画像にけるオフセットの評価結果から、動的表面張力が、４８ｍＮ／ｍ超のインクを用いた場合、インクは所望する浸透性が得にくく、オフセットによる画像汚れを抑制しにくいことが分かる。
【００８２】
【表９】
0005744706.tif 000010
【００８３】
【表１０】
0005744706.tif 000011
【００８４】
【表１１】
0005744706.tif 000012
【００８５】
【表１２】
0005744706.tif 000013
【００８６】
表９〜表１２に記載の単色のインクによって形成した画像にける濃度評価の結果から、動的表面張力が小さいインクであるほど、所望する形成画像の画像濃度を得にくいことが分かる。
【００８７】
【表１３】
0005744706.tif 000014
【００８８】
【表１４】
0005744706.tif 000015
【００８９】
【表１５】
0005744706.tif 000016
【００９０】
【表１６】
0005744706.tif 000017
【００９１】
表１３〜表１６に記載のサテライトの評価結果から、動的表面張力が小さいインクであるほど、サテライトを抑制しにくいことが分かる。
【００９２】
〔実施例１〜１８０、及び比較例１〜５８８〕
４つの記録ヘッド（図１におけるラインヘッド１１ａ〜１１ｄ。画像形成はラインヘッド１１ａから順に行われる）を備えるラインヘッド方式のインクジェット記録装置を用い、参考例で得られたブラック、マゼンタ、シアン、及びイエロー各色について動的表面張力の異なるインク８種類、計３２種類のインクを、ラインヘッド１１ａに充填し、ラインヘッド１１ｂに他色のインクを充填した、実施例１〜１８０、及び比較例１〜５８８に係る画像形成方法において、下記方法により２色のインクを用いて形成した画像におけるカラーブリードの発生の有無を評価した。カラーブリードの評価結果を表１７〜表２８に記す。
【００９３】
＜カラーブリードの評価方法＞
カラーブリードの評価は、単色画像形成によるオフセットの評価方法と同様の条件・方法により、１１ａに充填されたインクで画像形成した１０ｃｍ×１０ｃｍのベタ画像上に、１１ｂに充填されたインクで、直線画像を画像形成した。直線画像の線幅は、６００ｄｐｉで１０画素分の太さ、実際の画像形成物では０．４２ｍｍの太さ（カラーブリードのない理論的な太さ）となるように画像形成した。画像形成物は、カラースキャナー（ＧＴ−Ｘ９７０（セイコーエプソン株式会社製））を用い、１２００ｄｐｉで取り込み、取り込んだ画像形成物について２値化を行い、画像形成物の画像データを修正した。その後、修正した画像形成物について、ドットアナライザー（Ｄａ−６０００（王子計測機器株式会社製））を用いて、画像形成物１画素あたりに含まれる輝度（０〜２５５の数値範囲で評価）の分布を測定し、１画素あたりの輝度分布から平均値を求めた。このとき、カラーブリードによる滲みは、輝度分布の平均値が１〜２４４であるものを滲んでいるものと定義し、その滲みの長さに応じて、インクのカラーブリードを以下のように評価した。「○」、「△」の場合を合格と判定し、「×」の場合を不合格と判定した。
○：滲みの長さ５０μｍ以下。
△：滲みの長さ１００μｍ以下。
×：滲みの長さ１００μｍ超。
【００９４】
【表１７】
0005744706.tif 000018
【００９５】
【表１８】
0005744706.tif 000019
【００９６】
【表１９】
0005744706.tif 000020
【００９７】
【表２０】
0005744706.tif 000021
【００９８】
【表２１】
0005744706.tif 000022
【００９９】
【表２２】
0005744706.tif 000023
【０１００】
【表２３】
0005744706.tif 000024
【０１０１】
【表２４】
0005744706.tif 000025
【０１０２】
【表２５】
0005744706.tif 000026
【０１０３】
【表２６】
0005744706.tif 000027
【０１０４】
【表２７】
0005744706.tif 000028
【０１０５】
【表２８】
0005744706.tif 000029
【０１０６】
表１７〜表２８に記載される、実施例１〜１８０、及び比較例１〜５８８のカラーブリードの評価結果から、顔料と樹脂とを含む顔料分散体、有機溶剤、及び水を含有する２種以上のインクを用いて画像形成する、少なくとも２以上の記録ヘッドを有するインクジェット記録装置による画像形成方法であって、表面寿命が１０ｍｓのときの動的表面張力が、３７〜４８ｍＮ／ｍであり、且つ、各インクの動的表面張力差がすべて２ｍＮ／ｍ以上である２種以上のインクを、動的表面張力の大きいインクから順に、記録ヘッドからインクを吐出して画像を形成する場合、異なる色のインク間でのカラーブリードの発生を抑制できることが分かる。
【０１０７】
〔実施例１８１〜１８５、及び比較例５８９〜５９３〕
４つの記録ヘッド（図１のラインヘッド１１ａ〜１１ｄ。インクの吐出はラインヘッド１１ａから順に行われる）を備えるラインヘッド方式のインクジェット記録装置を用い、参考例で得られたブラック、マゼンタ、シアン、及びイエロー各色について動的表面張力の異なるインク８種類、計３２種類のインクから、任意に選択した４種のインクを、表２９に記載するように、ラインヘッド１１ａ〜１１ｄのそれぞれに充填した、実施例１８１〜１８５、及び比較例５８９〜５９３に係る画像形成方法において、４色画像形成によるオフセットの評価を行った。４色画像形成によるオフセットの評価結果を表２９に記す。
【０１０８】
＜４色画像形成によるオフセットの評価方法＞
４色画像形成によるオフセットの評価では、単色画像形成によるオフセットの評価方法と同様の条件・方法により、１０ｃｍ×１０ｃｍのベタ画像を連続１０枚形成した。１０枚目に画像が形成された記録用紙Ｐについて、記録用紙Ｐを排出する排出部に備えられる、表面材質がポリテトラフルオロエチレン樹脂（ＰＴＦＥ）である従動ローラーと接触した後の記録用紙Ｐの非画像部の状態と、従動ローラーへのインクの付着の状況を観察してオフセット性を評価した。オフセット性の評価の基準は以下の通りである。
○：記録液が排出ローラーに付着しておらず、非画像部に画像が版画されていない。
△：記録液が排出ローラーに付着しているが、非画像部に画像が版画されていない。
×：記録液が排出ローラーに付着しており、非画像部に画像が版画されている。
【０１０９】
【表２９】
0005744706.tif 000030
【０１１０】
実施例１８１〜１８５によれば、表面寿命が１０ｍｓのときにおける動的表面張力が、３７〜４８ｍＮ／ｍであり、且つ、各インクの動的表面張力差がすべて２ｍＮ／ｍ以上である２種以上のインクを、動的表面張力の大きいインクから順に記録ヘッドからインクを吐出して画像形成を行うことで、オフセットによる画像汚れを抑制することができることが分かる。
【０１１１】
比較例５８９、５９０及び５９２では、表面寿命が１０ｍｓのときの動的表面張力が４８ｍＮ／ｍ超のインクがラインヘッド１１ａから吐出されている。このため、比較例５８９、５９０及び５９２の画像形成方法では、オフセットによる画像汚れを抑制しにくい。
【０１１２】
比較例５９１及び５９３では、表面寿命が１０ｍｓのときにおける動的表面張力が、３７〜４８ｍＮ／ｍであり、且つ、各インクの動的表面張力差がすべて２ｍＮ／ｍ以上である２種以上のインクが、動的表面張力の大きいインクから順に、記録ヘッドからインクが吐出されていない。このため、比較例５９１及び５９３の画像形成方法では、表１７〜表２８に記載される、実施例１〜１８０、及び比較例１〜５８８のカラーブリードの評価結果に基づいて、異なる色のインク間でのカラーブリードによる画像汚れの発生を抑制しにくいことが分かる。
【符号の説明】
【０１１３】
２  給紙トレイ
３  給紙ローラー
４  従動ローラー
５  搬送ベルト
６  ベルト駆動ローラー
７  ベルトローラー
８  排出部
８ａ  排出ローラー
８ｂ  従動ローラー
１０  排紙トレイ
１１ａ、１１ｂ、１１ｃ、１１ｄ  ラインヘッド
１２ａ〜１２ｐ、１２ａ’〜１２ｐ’  ノズル
２０  制御部
３０  検出手段
１００  インクジェット記録装置
Ｄ１〜Ｄ４  ドット列（行方向）
Ｌ１〜Ｌ１６  ドット列（搬送方向）
Ｎ１、Ｎ２  ノズル列
Ｐ  記録用紙
【図１】
0005744706.tif 000031
【図２】
0005744706.tif 000032
【図３】
0005744706.tif 000033
【図４】
0005744706.tif 000034